(57)【要約】本明細書において開示するのは、下半身運動パネルが左右方向に回転すると運動者の下半身を左右方向に動かすので、その上半身は下半身の移動方向と逆方向に動かされ、そのため、脱出した椎間板を元の位置に回復させ、背骨の曲げ部分をまっすぐに矯正できることを特徴とする背骨治療のための運動器具である。  摺動手段又は回転手段が上半身運動パネルに設けられるので、運動者の上半身の運動は、その下半身の動作によって自然に行われる。  かくして、たとえ追加動力が上半身運動パネルに伝達されなくても上半身運動パネルの自由回転が可能である。  本運動器具により、「Ｓ」字型運動を安定的に行うことができる。【選択図】図２
2009521299.tif 000002
【特許請求の範囲】
【請求項１】
背骨治療のための運動器具であって、
上半身運動パネルと、前記上半身運動パネルよりも高い位置に配設され、下半身運動パネルの底部に連結された回転軸に対して往復動作を行う下半身運動パネルと、下半身運動パネルを動かすための駆動手段と、下半身運動パネルの回転軸を前記駆動手段をつなぐ連接手段を備える運動器具。
【請求項２】
前記上半身運動パネルに設けられた摺動手段をさらに含む請求項１に係る運動器具。
【請求項３】
回転手段が前記上半身運動パネルの底部に設けられるため、運動者の上半身は追加動力を用いることなしに下半身運動パネルの動作によって自然に回転することを特徴とする請求項１に係る運動器具。
【請求項４】
段差が運動者の臀部を支持する前記下半身運動パネル上の位置に形成されるので、運動者が前記運動器具に仰臥すると、運動者の臀部から頭部及びつま先までの身体が下方に傾くことを特徴とする請求項１に係る運動器具。
【請求項５】
前記上半身運動パネルに設けられた頭部支持部材をさらに含む請求項１に係る運動器具。
【請求項６】
前記頭部支持部材の自由回転を可能にするように前記頭部支持部材が回転軸を含むことを特徴とする請求項５に係る運動器具。
【請求項７】
ユーザーの身長に応じて距離を調整するために前記頭部支持部材に設けられた距離調整手段をさらに含む請求項５に係る運動器具。
【請求項８】
前記下半身運動パネルに設けられ、運動者の下半身を前記下半身運動パネルに対して締め付ける締め付けベルトをさらに含み、
前記締め付けベルトは、運動者の腹部を囲み、下半身が揺動することを防止する横ベルトと、その第１端部において前記横ベルトの所定部分に連結され、その第２端部において前記下半身運動パネルの所定部分に連結された縦ベルトをからなることを特徴とする請求項１に係る運動器具。
【請求項９】
前記下半身運動パネルの所定位置に設けられているので、運動者の踵が挿入されるようになっている踵支持窪み部をさらに含む請求項１に係る運動器具。
【請求項１０】
前記上半身運動パネルに設けられ、前記上半身運動パネルの傾斜を前記下半身運動パネルに対して調整する傾斜調整手段をさらに含む請求項１に係る運動器具。
【請求項１１】
前記上半身運動パネルと前記下半身運動パネルとのいずれかの１つ、又はその両方に設けられた加熱手段をさらに含む請求項１に係る運動器具。
【請求項１２】
請求項１１に係る運動器具であって、前記加熱手段が断熱板と、前記断熱板に設けられた加熱エレメントと、前記加熱エレメントに設けられた遠赤外線放射板と、を含むことを特徴とする運動器具。
【請求項１３】
前記駆動手段が、駆動モーターと、前記駆動モーターによって回転される駆動回転軸と、前記駆動回転軸の回転によって回転されるロータリーディスクとを含み、
さらに、前記連接手段は、前記下半身運動パネルの回転軸の外周面に接続された接続板と、前記接続板を前記ロータリーディスクとにつなぐ連接部材を含み、
これにより前記連接手段に連結された前記下半身運動パネルが前記ロータリーディスク回転によって往復運動されることを特徴とする請求項１〜１２の任意の一項に記載の運動器具。
【請求項１４】
前記下半身運動パネルの回転範囲が、前記接続板又は前記ロータリーディスクに形成された孔を有する前記連接部材の連結位置に応じて決定されることを特徴とする請求項１３に係る運動器具。
【発明の詳細な説明】
【技術分野】
【０００１】
本発明は、上半身運動パネルと下半身運動パネルとが互いに分離しているので、スムーズな背骨の運動が横方向に「Ｓ」字型に行えるように構成される背骨治療のための運動器具に関するものである。
【０００２】
より具体的には、本発明は、下半身運動パネルが左右方向に回転すると運動者の下半身を左右方向に動かすので、その上半身は下半身の移動方向と逆方向に動かされ、そのため、脱出した椎間板を元の位置に回復させ、背骨の曲がった部分をまっすぐに矯正できることを特徴とする背骨治療のための運動器具に関するものである。本発明の運動器具は、追加摺動手段が前記上半身運動パネルに設けられるか、又は追加動力が前記上半身運動パネルに伝達されない場合でさえも前記上半身運動パネルが自由に回転するように構成される。かかる構造により、その臀部が左右方向に動くと、その側腹部はその臀部の移動方向とは逆方向に動くように、下半身の運動によって上半身の運動が自然に行われる。つまり、前記運動器具により、「Ｓ」字型の運動を安定的に行うことができる。
【背景技術】
【０００３】
背骨は人体の中心を形成し、脳からの指令を伝達する全神経が通過する身体部位である。よって、背骨の健康が全身の健康を代表することは明らかである。
【０００４】
身体の老化に伴い、運動が長期間行われなかったり、日常生活で悪癖に陥ったり、又は悪い姿勢をとるようになり、その背骨が左方向、右方向又は前方方向に徐々に湾曲するので、全体的な健康は悪化し、多くの疾病に対する抵抗力が低下するようになる。この場合、椎間板の異常突起によって生じ、脊髄神経にかかる圧力に起因する疼痛を引き起こす椎間板ヘルニアや、脊柱の横変形である側弯症に悩まされる可能性もある。
【０００５】
椎間板ヘルニア又は側弯症の治療方法として、いわゆる「金魚運動」が人々に知られている。前記金魚運動は、特にその背骨が左側又は右側に曲がっている人に対して推奨される。前記金魚運動は、人が仰臥状態であたかも水中を泳ぐ金魚であるかのように身体を左方向又は右方向に曲げることによって行われる。この運動は、背骨の左部分や右部分の脱臼を矯正し、脊髄神経にかかる圧力や末梢神経の麻痺を除去し、全身の神経機能を一様にさせ、円滑な血液循環を可能にする。
【０００６】
上記金魚運動を用いる従来の運動器具が提案されている。「腰強化器具」と題する２００４年９月２４日に公開された特許文献１には、仰臥状態の運動者の臀部のみを左右方向に揺動させる強化ユニットが含まれる。しかしながら、前記強化ユニットには、運動者が仰臥状態で臀部のみを左右方向に揺動させるので上半身の揺動が不十分であるという点に問題がある。すなわち、前記金魚運動の主眼は上半身を左右方向に揺動させることであるが、前記従来の運動器具では、臀部運動のみを行うので、上半身の動作がほとんど行われない。
【特許文献１】韓国特許出願公開第１０-２００４-８２２３４号
【発明の開示】
【発明が解決しようとする課題】
【０００７】
よって、本発明は、従来技術で発生する上記問題点を念頭に置いてなされたものであり、本発明の目的は、追加摺動手段が上半身運動パネルに設けられるため、下半身運動パネルが回転するときに骨盤を左右方向に十分に動かすことができ、さらに、下半身の左右方向動作ととともに上半身の運動を行えることを特徴とする運動器具を提供することである。
【０００８】
本発明の別の目的は、たとえ追加動力が上半身運動パネルに伝達されなくても回転手段が、自由に回転可能であり、前記上半身運動パネルに設けられるので、下半身の運動によって上半身の運動が自然に行われ、かくして自然かつ安定した「Ｓ」字型運動が行われるようになっている運動器具を提供することである。
【０００９】
本発明のさらなる目的は、上半身が下方に傾くように上半身運動パネルが構成されるため、頭部と肩部の重量のため背骨が上方向に引き上げられている状態で下半身運動パネルが動くと、骨盤から頭部までの運動が「Ｓ」字型に行われるようになっている運動器具を提供することである。
【００１０】
本発明のまたもう一つの目的は、運動者がその脚を伸ばさないで曲げており、そのつま先部を上向きにさせるようにその踵部が所定の位置に固定されているような状態で運動を行うことができ、そのため、短時間で多くの動作数を実現できる運動器具を提供することである。
【課題を解決するための手段】
【００１１】
上記目的を達成するために、本発明は以下を含む背骨治療のための運動器具を提供する。上半身運動パネルと、前記上半身運動パネルよりも高い位置に配設され、下半身運動パネルの底部に連結された回転軸に対して往復動作を行う下半身運動パネルと、下半身運動パネルを動かすための駆動手段と、下半身運動パネルの回転軸を前記駆動手段をつなぐ連接手段と、前記上半身運動パネルに設けられた摺動手段と、さらに、前記上半身運動パネル及び下半身運動パネルを支持するための支持脚。
【００１２】
さらに、回転手段が前記上半身運動パネルの底部に設けられるため、運動者の上半身は追加動力を用いることなしに下半身運動パネルの動作によって自然に回転する。
【発明の効果】
【００１３】
上記のように、本発明は、たとえ追加動力が上半身運動パネルに伝達されなくても、その下半身の運動によって運動者の上半身運動が自然に行われ、そのため臀部が左方向又は右方向に動かされ、同時にその側腹部も臀部の移動方向とは逆方向の右方向又は左方向に曲げられ、従って、「Ｓ」字型の安定した動作が実現するように構成される運動器具を提供する。
【００１４】
本発明によれば、上半身はスムーズで加熱エレメントによって熱される遠赤外線放射板に置かれる。よって、その背部領域の筋肉及び靱帯が軟化されている状態で、臀部及び脚部の直接運動が行われる。従って、骨盤から頭部までの身体部位が「Ｓ」字型に自然に動かされるので、その脊柱及び頸椎の運動は円滑に行われる。その結果、側弯症、つまり横方向に曲がった背骨が矯正され、背骨の周囲にある神経及び筋肉は快適になる。さらに、腰が左右方向に動かされると、その内部の臓器もまた揺動されるのでガスが腸から除去され、そのため便秘も治癒される。
【００１５】
さらに、上半身が下方に傾けられると、背骨は頭部と肩部の重量によって引かれるので、椎骨間の間隙が大きくなる。かかる状態では、上半身が左方向又は右方向に揺動されると、脱出した椎間板を元の位置に回復させるので、効果的な治癒が実現する。
【発明を実施するための最良の形態】
【００１６】
以下、本発明の好適実施形態を添付図面を参照して詳細に説明する。
【００１７】
図１及び図２に示すように、下半身運動パネル２０は、支持脚によって支持されているフレーム７０に連結される。駆動モーター３１は、駆動回転軸３２が上方に向くように下半身運動パネルの下に設置される。ロータリーディスク３３は、第１ロッド端部４４ａを挿入するための孔が前記ロータリーディスク３３に設けられた状態で前記駆動回転軸３２に取り付けられる。第１ロッド端部４４ａは、前記第１ロッド端部が前記ロータリーディスク３３に載置されるようにボルトとナットを用いて締め付けられる。
【００１８】
接続板４２は下半身運動パネルの回転軸２２の外周面領域に溶接される。第２ロッド端部４４ｂは前記接続板の端部に取り付けられ、さらにロッド４４ｃを介して前記第１ロッド端部４４ａに連結される。つまり、前記第１及び第２ロッド端部（４４ａ及び４４ｂ）と、前記ロータリーディスク３３を下半身運動パネル２０に連結させる前記ロッド４４ｃと、が連接手段４４を構成する。
【００１９】
ここで、回転軸支持板（図示せず）は下半身運動パネル２０の下面に取り付けられ、ベアリング（図示せず）の内径に対応する孔は前記支持板に貫通形成される。その後、前記ベアリングは、前記支持板の上面にハウジングを用いて固定される。この場合、前記ベアリングの内周が前記回転軸の外周に密着するので、前記ベアリングは下半身運動パネルを支持する機能を果たし、それによって下半身運動パネルが左右方向に円滑に回転可能になるとともに、下半身運動パネルは上下に揺動することがない。
【００２０】
一般に、下半身運動パネル２０は平面形状を有するが、その運動効果を高めるため、上半身支持部に隣接する位置において段差が下半身運動パネル２０上に形成されることが好ましい。つまり、前記図面には示されていないが、前記段差のため、下半身運動パネルの臀部を支持する部分の高さがさらに高くなる場合、運動者が前記運動器具に仰臥すると、運動者の臀部から頭部まで又は臀部からつま先までの身体は弓なりになって徐々に下方に傾く。かかる構造は、運動者背部の下半身運動パネルと前記上半身運動パネルとの接触面積を増加させるため、その運動効果を最大限に引き出す。
【００２１】
好ましくは、下半身運動パネル２０の段差は下半身運動パネル２０の表面よりも３ｃｍ〜６ｃｍ高くする。運動者の腰が引っかき傷や障害を受けることを防止するため、前記段差の縁部には丸みを付けられる。
【００２２】
以下、前記上半身運動パネル１０の構造を説明する。摺動手段５０は前記上半身運動パネルの上面に設けられる。上記のように、上半身の運動は、前記上半身運動パネルに追加運動手段を設けることなしに単に下半身を運動することによって自然に行うことができる。よって、滑りやすい材料を用いて、前記摺動手段５０を前記上半身運動パネル１０の上部分に設けてもよい。より効率の良い滑り動作を実現するため、コットンのネル生地などの布、又は運動者の背部と同じサイズの滑りやすい板を前記上半身運動パネル上に載置してもよい。さらに、ローラーを前記上半身運動パネルの長手方向に取り付けて、上半身が左右方向に自然に摺動できるようにしてもよい。この場合、前記摺動手段５０に使用された滑りやすい材料の滑りやすさは、下半身が前記駆動手段によって左右方向に回転される際、腰が曲げられた状態で上半身が下半身と逆方向に回転される限り、十分とする。その滑りやすさを数値として表現することは困難である。
【００２３】
さらに、断熱材が前記上半身運動パネルに設けられ、加熱エレメントが前記断熱材に設けられる。その後、ゲルマニウムなどの遠赤外線を放射するための遠赤外線放射板が設置される。特に、前記上半身運動パネルの上面に設けられる前記摺動手段は、ゲルマニウムなどの遠赤外線を放射する前記遠赤外線放射板によって具体化することも可能である。さらに、前記加熱エレメントが前記上半身運動パネルに設けられるので、運動者はその身体を、硬直感を感じたり背骨を過度に動かすことなしに、左右方向に動かすことができる。
【００２４】
前記上半身運動パネルは図３に示すように構成してもよい。つまり、追加フレーム７５が前記上半身運動パネルを支持するために設けられる。前記上半身運動パネル１０は、追加回転手段８５を介して前記フレームの上部分に連結させてもよい。つまり、前記上半身運動パネル１０は外部動力によって回転されない。下半身運動パネル２０が左右方向に回転されると、運動者の下半身、特にその臀部と腰は左右方向に動く。下半身の動作のため、上半身は右方向及び左方向に自然に動かされる。本発明の上半身運動パネルは、前記上半身運動パネルが動力によって駆動されていない前記回転手段８５に連結されるので、前記上半身運動パネルは運動者の上半身の動作によって自然に回転されることを特徴とする。
【００２５】
詳細に説明すると、図３及び図４に示すように、ロータリーロッド１１は前記上半身運動パネル１０の下面に連結され、ベアリングはロータリーロッドに嵌着される。つまり、前記ロータリーロッド１１にかかる負荷と前記ロータリーロッドの重量とを支持するため、前記ベアリングは、好ましくは前記ロータリーロッドの外周面に装着される。任意の種類のベアリングを前記ロータリーロッドに装着してもよいが、一般にはスラストベアリングが使用される。さらに、前記ロータリーロッド１１の断面に対応するサイズを有する貫通部は、前記上半身運動パネル１０に連結される前記フレーム７５に形成され、前記上半身運動パネル１０に連結された前記ロータリーロッドは前記貫通部に挿入される。つまり、ロータリーロッド支持板１３は前記フレーム７５から５ｃｍほど下方向に延出する。前記支持板１３の所定部分は前記ベアリングの内径に合わせて穴あけされ、前記ベアリングはハウジングを介して前記支持板１３に固定される。次に、前記ロータリーロッド１１はその中に挿入される前記ベアリングを貫通し、前記上半身運動パネル１０が前記ロータリーロッド１１に設けられる。この場合、運動者が前記上半身運動パネル１０に仰臥すると、前記上半身運動パネル１０は前記ベアリングに接触するので、円滑な回転が不可能である。この問題を解決するために、段差１５が、好ましくは前記ロータリーロッドの上部に形成される。よって、前記ロータリーロッド１１と、前記ベアリングと、前記支持板１３と、が前記回転手段８５を構成する。
【００２６】
以下、下半身運動パネルの構造を説明する。下半身運動パネルが回転される際に、運動者の上半身が上方向に引き上げられることを防止するため、ベルト２５が下半身運動パネルに取り付けられる。図１及び図２に示すように、前記ベルトは、好ましくは運動者の腹部と臀部を囲む横ベルト２５ａを含む。また、縦ベルト２５ｂを設けることもさらに好ましい。前記縦ベルトの一端は前記横ベルト２５ａの所定部分に連結されるが、前記縦ベルトの他端は下半身運動パネルの下部分の中心に連結される。前記縦ベルト２５ｂは、運動の際に運動者の上半身が上方向に引き上げられることを防止するために、臀部が下半身運動パネル２０から外れることを防止する。つまり、前記縦ベルトが追加として設けられているため、運動者はさらに安定的に運動することができる。より好ましくは、前記横ベルト２５ａは下半身を効果的に固定するようにベルクロファスナーを含む。
【００２７】
また、前記下半身運動パネルが左右方向に回転される際に運動者の下半身が前記下半身運動パネルから外れることを防止するように、ガイド部材（図示せず）を前記下半身運動パネルのフレーム７０の両側に設けてもよい。もとより、ガイド部材（図示せず）を前記上半身運動パネル１０に設けてもよい。
【００２８】
運動者はその脚を伸ばした状態で運動することもできるが、図１に示すように、その膝を曲げた状態で運動することもできる。この目的を達成するため、前記下半身運動パネル２０上に両足を支持するための支持手段が必要とされる。前記支持手段として踵支持窪み部２９が前記下半身運動パネルに設けられるので、運動者の踵を前記踵支持窪み部に挿入することができ、それによってその両足が支持される。特に、本発明において運動者がその膝を曲げた状態で運動する理由は、脚が伸びていないが膝が胸に引きよせられた状態での動作数と、脚が伸びている状態での動作数との間に著しい差があるためである。本発明によれば、運動者はその脚が伸びていない状態で運動するので、前記下半身運動パネルの長さを短縮することが可能であり、それによって前記運動器具自体がコンパクトな構造を持つことができる。よって、前記運動器具は家庭の小スペースに設置可能であるため、便利に利用できる。
【００２９】
さらに、前記踵支持窪み部２９は、その両足の足底全体が前記下半身運動パネルと接触することを防止するが、そのつま先が天井に向くようにその踵を前記踵支持窪み部に挿入させる。かかる構造により動作数が増加する。好ましくは、いくつかの踵支持窪み部を前記下半身運動パネルに配設することで、運動者の脚の長さに応じてその踵を支持できるようにする。
【００３０】
逆に、運動者がその脚を伸ばした状態で運動する際、その下半身は、好ましくは足首ベルト２７を用いて固定される。
【００３１】
図１及び図２に示すように、ハンドル９０は、運動者が前記下半身運動パネルに座りながら容易に仰臥姿勢や座位姿勢をとることができるように設置される。制御ボックスは、モーターの電源や速度と、ヒーターの温度と、を制御できるように前記ハンドルの中間部分に設けられ、かくして、運動者は前記運動器具に仰臥しながら運動の開始及び停止を制御でき、その運動速度を制御することもできる。運動者の身体のサイズに応じてその長さ又は高さを調整するため、長さ調整手段９２を前記ハンドル９０に設けることもできる。さらに、ヒンジ９０ａが前記ハンドル９０の曲がった部分に設けられるので、その高さは容易に調整できるようになっている。
【００３２】
前記上半身運動パネル１０の構造に注意を向けると、前記上半身運動パネルの高さは、好ましくは可能な動作数を考慮して前記下半身運動パネル２０よりも低くなるように位置決めされる。前記上半身運動パネル１０の高さを調整するため、前記上半身運動パネルは、好ましくはヒンジ６２ａを用いて前記フレーム７０に連結される。さらに、前記上半身運動パネル１０と前記下半身運動パネル２０との間の高さ差は、好ましくは約３ｃｍに設定する。かかる高さ差により、運動者が前記運動器具に快適に仰臥できるようになることに加えて、動作数も最大化される。このような事情から、前記上半身運動パネルは斜めに方向づけられので、運動者の上半身は回転動作中の遠心力のために前記回転軸線外に移動する傾向がある。それによって、椎骨間の間隔が増大するので、背骨強化効果は自然に実現される。
【００３３】
もとより、傾斜調整手段６２は、好ましくは運動者の身体の特徴及び動作数に応じて上半身運動身体１０の傾斜を調整するために設けられる。前記傾斜調整手段６２は前記ヒンジ６２ａとともに操作されるため、前記前記上半身運動パネルの高さと傾斜とが同時に調整される。さらに、必要があれば、前記上半身運動パネルと前記下半身運動パネルとの間の高さを調整するため、追加の高さ調整手段を設けてもよい。
【００３４】
さらに、図２に示すように、複数の隆起１０ａが前記上半身運動パネル１０の上面に形成され、上半身が左右方向に動かされる際に上半身に対する指圧効果を実現する。また、頭部支持部材８０も前記上半身運動パネルにさらに設けられる。前記頭部支持部材の自由回転を可能にするように回転軸（図示せず）を前記頭部支持部材８０に連結してもよい。つまり、上半身が前記下半身運動パネルに対して左右方向に動かされると、頭部は左右水平方向に動かされないが、円形経路に沿って動かされる。よって、その頭部の自由動作を可能にさせるため、好ましくは前記回転軸（図示せず）が設けられる。さらに、前記頭部支持部材と前記下半身運動パネルとの間の距離を調整するため、距離調整手段８２を前記頭部支持部材８０に設けてもよい。図１及び図２に示すように、前記距離調整手段に含まれるのは、前記上半身運動パネル１０の両側に形成され、所定の長さを有する溝部と、前記溝部に挿入されて前後方向に動くローラーと、前記ローラーを前記頭部支持部材に連結する連結部材と、である。
【００３５】
以下、上記のように構成された本発明の操作を添付図面を参照して説明する。
【００３６】
まず、運動者は前記上半身運動パネル１０の温度を調整し、次いでヒータースイッチをオンにする。その骨盤を十分に回転させるため、脚を曲げた状態で臀部及び両足を前記下半身運動パネル２０に載置する。この時点では、両足は、合わせないでその間隔が約２０ｃｍになるように拡げて前記下半身運動パネルに載置する。さらに、前記横ベルト２５ａを骨盤領域に締め付ける。必要があれば、前記縦ベルト２５ｂも身体に締め付ける。
【００３７】
引き続いて、運動者は前記ハンドル９０を把持し、前記上半身運動パネルにゆっくりと仰臥する。前記頭部支持部材の位置を運動者の頭部に適するように調整した後、前記モーターの回転速度を運動者の身体の状態に応じて前記制御ボックスを用いて適切に制御する。かかる状態で、前記運動器具をオンにすることで、前記下半身運動パネルを作動させる。
【００３８】
図５ａ〜図５ｄに示すように、前記駆動モーター３１が事前設定速度で駆動されると、前記ロータリーディスク３３は一方回転を継続する。前記ロータリーディスクが時計回り方向に回転することが好ましい。前記下半身運動パネル２０に連結された前記第１連接端部４４ａが位置（Ａ）に達すると、前記下半身運動パネルに取り付けられた前記回転軸２２に接続されている前記接続板４２は前記ロッド４４ｃによって引かれて位置（Ａ’）に達する。前記駆動モーターのロータリーディスク３３は引き続き回転するので、前記第１連接端部４４ａは位置（Ｂ）に達し、前記下半身運動パネルの回転軸は位置（Ｂ’）となる。前記ロータリーディスク３３が位置（Ｃ）達すると、前記下半身運動パネルの回転軸は位置（Ｃ）に移動する。引き続いて、前記ロータリーディスク３３が位置（Ｄ）に達すると、前記下半身運動パネルの回転軸は位置（Ｄ’）となる。前記駆動モーターのロータリーディスクが引き続き回転してその元位置に復帰すると、前記回転軸はその元位置に復帰する。前記第１連接端部４４の開始位置は一実施例として例示する。前記第１連接端部４４ａが位置（Ａ）から移動を開始する必要はない。前記第１連接端部は任意の位置から移動を開始してもよい。本発明の重要な特徴は、前記第１連接端部４４ａが前記ロータリーディスク３３の回転によって回転されることと、前記第１連接端部に接続された前記接続板４２が左右方向のみに移動されるので、前記下半身運動パネルの下部分が固定され、前記下半身運動パネルの上部分が仮想の扇形状を描きながら左右方向に回転されることと、である。
【００３９】
この時点では、前記下半身運動パネル上に載置された骨盤の骨は左右方向に動かされ、その骨盤の骨に連結された背骨も左右方向に動かされる。さらに、上半身の筋肉と靱帯は遠赤外線及び熱によって軟化されるので、背骨と筋肉を過度に緊張させることなしに上半身を左右方向に動かすことができる。
【００４０】
さらに、前記下半身運動パネルの水平回転範囲は前記ロッド４４ｃの長さを変えることによって調整することも可能である。前記ロッド４４ｃの最終長さは、前記ロッド４４ｃの第２ロッド端部４４ｂが前記接続板４２の孔のうちの任意の１孔に連結されており、前記下半身運動パネルの回転範囲を規定しているかどうかに応じて決定される。
【００４１】
さらに、前記図面には示されていないが、複数の孔を前記ロータリーディスク３３に形成することも可能である。前記孔は前記第１ロッド端部４４ａの連結位置を変え、かくして前記ロッド４４ｃの長さが調整される。
【図面の簡単な説明】
【００４２】
【図１】図１は本発明に係る背骨治療のための運動器具の使用法を示す側面図である。
【図２】図２は本発明に係る背骨治療のための運動器具の使用法を示す斜視図である。
【図３】図３は本発明の別の実施形態に係る背骨治療のための運動器具を示す側面図である。
【図４】図４は、図３の運動器具に含まれた上半身運動パネルを示す拡大側面図である。
【図５ａ】図５ａは、本発明に係る運動器具の駆動手段の操作段階を示す図である。
【図５ｂ】図５ｂは、本発明に係る運動器具の駆動手段の操作段階を示す図である。
【図５ｃ】図５ｃは、本発明に係る運動器具の駆動手段の操作段階を示す図である。
【図５ｄ】図５ｄは、本発明に係る運動器具の駆動手段の操作段階を示す図である。
【図１】
2009521299.tif 000003
【図２】
2009521299.tif 000004
【図３】
2009521299.tif 000005
【図４】
2009521299.tif 000006
【図５】
2009521299.tif 000007
【国際調査報告】
2009521299.tif 000008
2009521299.tif 000009